(57)【要約】本発明は、スイッチング速度、双安定性及びゴースト発生効果等のディスプレイ性能を向上することができ、ディスプレイ欠損も減少させることができる電気泳動流体に向けられている。電気泳動流体は、イソパラフィンの混合物中に分散された帯電顔料粒子を含む。【特許請求の範囲】
【請求項１】
イソパラフィンの混合物中に分散された帯電顔料粒子を含む電気泳動流体。
【請求項２】
イソパラフィンの前記混合物は、８、９及び１０の炭素原子を有するイソパラフィンを含む請求項１に記載の流体。
【請求項３】
イソパラフィンの前記混合物は、８未満の炭素原子を有するイソパラフィン及び１０より多い炭素原子を有するイソパラフィンを含み、その合計の割合は約２０％未満である請求項２に記載の流体。
【請求項４】
イソパラフィンの前記混合物は、８未満の炭素原子を有するイソパラフィン及び１０より多い炭素原子を有するイソパラフィンを含み、その合計の割合は約１０％未満である請求項２に記載の流体。
【請求項５】
イソパラフィンの前記混合物は、８未満の炭素原子を有するイソパラフィン及び１０より多い炭素原子を有するイソパラフィンを含み、その合計の割合は約５％未満である請求項２に記載の流体。
【請求項６】
イソパラフィンの混合物は、約１０％〜約３０％の８の炭素原子を有するイソパラフィンを含む請求項２に記載の流体。
【請求項７】
イソパラフィンの混合物は、約６０％〜約８０％の９の炭素原子を有するイソパラフィンを含む請求項６に記載の流体。
【請求項８】
イソパラフィンの混合物は、約９０％より大きい合計の割合の８の炭素原子のイソパラフィン及び９の炭素原子のイソパラフィンを含む請求項２に記載の流体。
【請求項９】
イソパラフィンの前記混合物は、７、８及び９の炭素原子を有するイソパラフィンを含む請求項１に記載の流体。
【請求項１０】
イソパラフィンの前記混合物は、７未満の炭素原子を有するイソパラフィン及び９より多い炭素原子を有するイソパラフィンを含み、その合計の割合は約２０％未満である請求項９に記載の流体。
【請求項１１】
イソパラフィンの前記混合物は、７未満の炭素原子を有するイソパラフィン及び９より多い炭素原子を有するイソパラフィンを含み、その合計の割合は約１０％未満である請求項９に記載の流体。
【請求項１２】
イソパラフィンの前記混合物は、７未満の炭素原子を有するイソパラフィン及び９より多い炭素原子を有するイソパラフィンを含み、その合計の割合は約５％未満である請求項９に記載の流体。
【請求項１３】
イソパラフィンの前記混合物は、約１０％〜約３０％の７の炭素原子を有するイソパラフィンを含む請求項９に記載の流体。
【請求項１４】
イソパラフィンの前記混合物は、約３０％〜約７０％の８の炭素原子を有するイソパラフィンを含む請求項１３に記載の流体。
【請求項１５】
イソパラフィンの前記混合物は、約１０％〜約３０％の９の炭素原子を有するイソパラフィンを含む請求項１４に記載の流体。
【請求項１６】
イソパラフィンの前記混合物は、約９０％より大きい合計の割合の、７の炭素原子のイソパラフィン、８の炭素原子のイソパラフィン、及び９の炭素原子のイソパラフィンを含む請求項９に記載の流体。
【請求項１７】
イソパラフィンの混合物は、微量の芳香族類を更に含む請求項１に記載の流体。
【請求項１８】
イソパラフィンの混合物は、一又はそれ以上の直鎖状又は環状炭化水素を更に含む請求項１に記載の流体。
【請求項１９】
電荷制御剤を更に含む請求項１に記載の流体。
【請求項２０】
一種類の帯電顔料粒子を含む請求項１に記載の流体。
【請求項２１】
反対の極性の電荷を帯び、対比色の二種類の帯電顔料粒子を含む請求項１に記載の流体。
【請求項２２】
帯電していない又は少し帯電した中立浮力粒子を更に含む請求項１に記載の流体。
【請求項２３】
帯電していない又は少し帯電した中立浮力粒子は、ポリアクリレート、ポリメタクリレート、ポリスチレン、ポリアニリン、ポリピロール、ポリフェノール及びポリシロキサンからなる群から選択される材料から形成される請求項２２に記載の流体。
【請求項２４】
帯電していない又は少し帯電した中立浮力粒子は、ポリ（ペンタブロモフェニルメタクリレート）、ポリ（２−ビニルナフタレン）、ポリ（ナフチルメタクリレート）、ポリ（アルファ−メチルスチレン）、ポリ（Ｎ−ベンジルメタクリルアミド）、及びポリ（ベンジルメタクリレート）からなる群から選択される材料から形成される請求項２２に記載の流体。
【発明の詳細な説明】
【技術分野】
【０００１】
本発明は、スイッチング速度、双安定性（又はバイスタビリティー）及びゴースト発生効果（ghosting effect）等のディスプレイ性能を向上させることができ、ディスプレイ視野欠損（display visual defect）を減少させることもできる電気泳動流体に向けられている。
【背景技術】
【０００２】
電気泳動ディスプレイ（ＥＰＤ：electrophoretic display）は、溶媒中に分散された帯電（荷電又は電荷を帯びた）顔料粒子の電気泳動現象に基づく非発光デバイスである。そのディスプレイは、典型的には、相互に対向して配置された電極を有する二枚のプレートを含む。電極の一つは通常透明である。着色された溶媒（又は媒体）とその中に分散された帯電顔料（色素又は染料）粒子（charged pigment particles）から構成される電気泳動流体が、その二枚のプレート間に含まれる。二枚の電極間に電位差が印加されると、顔料粒子は一方の側又は他方の側に移動し、表示側（viewing side）から見られる顔料の色又は溶媒の色を生ずる。
【０００３】
別法では、電気泳動流体は、反対の電荷を帯び、対比色の二種類（又はタイプ）の帯電顔料粒子を含むことができ、その二種類の帯電顔料粒子は、透明な溶媒又は溶媒混合物中に分散される。この場合、電位差を二枚の電極プレート間に印加すると、その二種類の帯電顔料粒子は、ディスプレイセル中で、反対方向（上方又は下方）に移動するであろう。従って、その二種類の帯電顔料粒子の一方の色を、ディスプレイセルの表示側で見ることができるであろう。
【０００４】
全てのタイプの電気泳動ディスプレイ（又は表示装置）にとり、ディスプレイの個々のディスプレイセル内に含まれる流体は、デバイス（又は装置）の最も重要なバーツ（又は部品）の一つである。流体の組成物が、かなりの程度まで、デバイスの性能を決める。
【発明の概要】
【課題を解決するための手段】
【０００５】
発明の要約
さて、イソパラフィンの群から選択される少なくとも二種の溶媒の混合物を、ディスプレイ流体中の分散溶媒（又は分散媒）として使用すると、電気泳動ディスプレイの性能が著しく向上し得ることが、見いだされた。このタイプの溶媒混合物の使用は、追加の長所、即ち、ディスプレイセルを、より良好にシール（又は封止）することができ、従って、極めて少ない数の目視でわかる欠陥（又は欠損）をもたらすことも見いだされた。
【０００６】
本発明の一の要旨は、イソパラフィンの混合物中に分散された帯電顔料粒子を含む電気泳動流体に向けられている。
【０００７】
一の態様において、イソパラフィンの混合物は、８、９及び１０の炭素原子を有するイソパラフィンを含む。一の態様において、イソパラフィンの混合物は、約１０％〜約３０％の８の炭素原子を有するイソパラフィンを含む。一の態様において、イソパラフィンの混合物は、約６０％〜約８０％の９の炭素原子を有するイソパラフィンを更に含む。一の態様において、イソパラフィンの混合物は、約９０％より大きい合計の割合の、８の炭素原子のイソパラフィンと９の炭素原子のイソパラフィンを含む。
【０００８】
一の態様において、イソパラフィンの混合物は、７、８及び９の炭素原子を有するイソパラフィンを含む。一の態様において、イソパラフィンの混合物は、約１０％〜約３０％の７の炭素原子を有するイソパラフィンを含む。一の態様において、イソパラフィンの混合物は、約３０％〜約７０％の８の炭素原子を有するイソパラフィンを更に含む。イソパラフィンの混合物は、約１０％〜約３０％の９の炭素原子を有するイソパラフィンを更に含む。一の態様において、イソパラフィンの混合物は、約９０％より大きい合計の割合の、７の炭素原子のイソパラフィン、８の炭素原子のイソパラフィンと９の炭素原子のイソパラフィンを含む。
【０００９】
流体は、一種類又は二種類の帯電顔料粒子を含むことができる。
【００１０】
本発明の他の要旨において、流体は、帯電していない又は少し帯電した中立浮力粒子を更に含む。
【発明を実施するための形態】
【００１１】
発明の詳細な説明
本発明は、イソパラフィン溶媒の混合物中に分散された帯電顔料粒子を含む電気泳動流体に向けられている。簡便に、イソパラフィン混合物を、本出願を通して、「溶媒混合物」ともいう。
【００１２】
用語「イソパラフィン」とは、枝分かれ（又は分枝）した一群の飽和炭化水素をいう。通常、イソパラフィンは５〜２０の炭素原子を有し、液体の形態の場合、透明で無色である。用語「イソパラフィン」を使用する場合、その用語は、その構造異性体も含み得ることが理解される。
【００１３】
イソパラフィン溶媒は、市販のものを利用できる。例えば、それらは、Isopar（登録商標）（Exxon Mobil Chemical Companyから）、Soltrol（登録商標）（Chevron Philips Chemicalから）、Shellsol（登録商標）（Chevron Chemicalから）、Isane（登録商標）（Total Petrochemicalsから）又はSolane（登録商標）（Total Petrochemicalsから）、市販されている。
【００１４】
溶媒混合物の中には、微量（トレース量又は痕跡量）の芳香族類（又は種）（即ち、２０ｐｐｍ未満）及び／又は５５〜７０℃のアニリン点を有し得ることも注意を要する。これらの特徴も、電気泳動流体の性質の向上に重要であり得る。
【００１５】
少ない炭素数を有するイソパラフィンは、多い炭素数を有するものより、より容易に蒸発する傾向にある。従って、蒸発に起因する性能の問題を避けるために、もし可能ならば、少ない炭素数を有するイソパラフィンを、溶媒混合物中で避けるべきである。
【００１６】
直鎖状又は環状炭化水素が、混合物中のイソパラフィンと相溶性である限り、溶媒混合物中の一又はそれ以上のイソパラフィンを、一又はそれ以上の直鎖状又は環状炭化水素で置き換えることができることも注意を要する。そのような溶媒混合物も本発明の範囲内にある。
【００１７】
イソパラフィンは、溶媒混合物中で種々の比で混合され、その比は、得られる混合物の所望の粘度に基づいて決定され、それは、好ましくは約０．８〜約１．５（ｍｍ２／ｓ、２５℃にて）の範囲にある。
【００１８】
本発明の一の態様において、溶媒混合物は、主に、７〜１２の炭素原子、好ましくは７〜９又は８〜１０の炭素原子を有するイソパラフィンを含む。
【００１９】
一の態様において、溶媒混合物中の、１０未満の炭素原子を有する種々のイソパラフィンの合計の重量％は、少なくとも約７５％、又は少なくとも約８０％又は少なくとも約９５％である。
【００２０】
一の態様において、溶媒混合物中の、１０より多い炭素原子を有する種々のイソパラフィンの合計の重量％は、約１０％未満、又は約５％未満である。
【００２１】
一の態様において、溶媒混合物は、８、９及び１０の炭素原子を有するイソパラフィンを主に含むことが好ましい。この態様において、８未満の炭素原子を有する種々のイソパラフィンと１０より多い炭素原子を有する種々のイソパラフィンの合計の％は、約５％未満、又は約１０％未満又は約２０％未満である。更なる態様において、溶媒混合物は、約１０％〜約３０％の８の炭素原子を有するイソパラフィンを含む。更なる態様において、溶媒混合物は、約６０％〜約８０％の９の炭素原子を有するイソパラフィンを更に含む。その上更なる態様において、溶媒混合物は、約９０％より大きな合計の割合（又はパーセンテージ）の８の炭素原子を有するイソパラフィンと９の炭素原子を有するイソパラフィンを含む。
【００２２】
一の態様において、溶媒混合物は、約１０重量％未満の１０より多い炭素原子を有するイソパラフィンを有して良い。一の態様において、溶媒混合物は、約５重量％未満の１０より多い炭素原子を有するイソパラフィンを有してよい。一の態様において、溶媒混合物は、約１重量％未満の１０より多い炭素原子を有するイソパラフィンを有してよい。
【００２３】
一の態様において、溶媒混合物は、約１０重量％未満の８未満の炭素原子を有するイソパラフィンを有し得る。一の態様において、溶媒混合物は、約５重量％未満の８未満の炭素原子を有するイソパラフィンを有し得る。一の態様において、溶媒混合物は、約１重量％未満の８未満の炭素原子を有するイソパラフィンを有し得る。
【００２４】
一の態様において、溶媒混合物は、７、８及び９の炭素原子を有するイソパラフィンを主に含むことが好ましい。この態様において、７未満の炭素原子及び９より多い炭素原子を有する種々のイソパラフィンの合計の割合は、約５％未満、又は約１０％未満又は約２０％未満である。更なる態様において、溶媒混合物は、約１０％〜約３０％の７の炭素原子を有するイソパラフィンを含む。更なる態様において、溶媒混合物は、約３０％〜約７０％の８の炭素原子を有するイソパラフィンを更に含む。更なる態様において、溶媒混合物は、約１０％〜約３０％の９の炭素原子を有するイソパラフィンを更に含む。そのうえ更なる態様において、溶媒混合物は、９０％より多い合計の割合の、７の炭素原子のイソパラフィン、８の炭素原子のイソパラフィン及び９の炭素原子のイソパラフィンを含む。
【００２５】
一の態様において、溶媒混合物は、約１０重量％未満の９より多い炭素原子を有するイソパラフィンを有し得る。一の態様において、溶媒混合物は、約５重量％未満の９より多い炭素原子を有するイソパラフィンを有し得る。一の態様において、溶媒混合物は、約１重量％未満の９より多い炭素原子を有するイソパラフィンを有し得る。
【００２６】
一の態様において、溶媒混合物は、約１０重量％未満の７未満の炭素原子を有するイソパラフィンを有し得る。一の態様において、溶媒混合物は、約５重量％未満の７未満の炭素原子を有するイソパラフィンを有し得る。一の態様において、溶媒混合物は、約１重量％未満の７未満の炭素原子を有するイソパラフィンを有し得る。
【００２７】
本出願において用語「約」は、示した値の＋２％に言及する。もし他に記載がなければ、全ての百分率は、重量％である。
【００２８】
溶媒混合物中に分散される帯電顔料粒子は、例えば、ＴｉＯ２、ＺｒＯ２、ＺｎＯ、Ａｌ２Ｏ３、Ｃｌピグメントブラック２６又は２８（Cl pigment black 26 or 28）等（例えば、マンガンフェライトブラックスピネル（manganese ferrite black spinel）又は銅クロマイトブラックスピネル（copper chromite black spinel）の無機顔料から形成してよい。それらは、例えば、フタロシアニンブルー、フタロシアニングリーン、ダイアリライドイエロー（diarylide yellow）、ダイアリライドＡＡＯＴイエロー（diarylide AAOT yellow）、キナクロドン、アゾ、ローダミン、ペリレン顔料シリーズ（Sun Chemicalより）、ハンザイエローＧ粒子（Kanto Chemicalより）、及びカーボンランプブラック（Carbon Lampblack）（Fisherより）等の種々の色を有する有機顔料から形成されてもよい。
【００２９】
粒子サイズ（又は寸法）は、好ましくは約０．０１〜約５ミクロンの範囲に有り、より好ましくは約０．０５〜約２ミクロンの範囲にある。粒子は、許容可能な光学特性を有するべきで有り、化学的に安定であるべきである。得られる流体も、通常の操作条件下、沈降（sedimentation）、クリーミング（又はクリーム化）（creaming）又は凝集（又は沈殿）（flocculation）に対して安定でなければならない。
【００３０】
帯電顔料粒子は、生来の電荷を示してよく、又は電荷制御剤を使用して明らかに帯電させてもよく、又は溶媒混合物中に分散されるときに、電荷を得てもよい。
【００３１】
適する電荷制御剤は、当業者に既知である；それらは実際ポリマー又は非ポリマーであり得、イオン性又は非イオン性であり得、イオン性界面活性剤、例えば、アエロゾルＯＴ（Aerosol OT）、ドデシルベンゼンスルホン酸ナトリウム、金属石鹸、ポリブテンスクシンイミド、無水マレイン酸コポリマー、ビニルピリジンコポリマー、ビニルピロリドンコポリマー（例えば、Ganex、International Specialty Productsより）、（メタ）アクリル酸コポリマー又はＮ，Ｎ−ジメチルアミノエチル（メタ）アクリレートコポリマーを含む。
【００３２】
一の態様において、電荷制御剤は、イソパラフィンの混合物中に分散された帯電顔料粒子を含む電気泳動流体中に存在する。一の態様において、流体は、蒸発速度を抑制するために高い粒子充填（loading）（又は粒子濃度）を有して良く、従って、このことは高い揮発性を有する溶媒をより多く加えるための余裕を増加させる。他の態様において、他の添加剤（例えば、しきい値剤又は界面活性剤）を、ディスプレイデバイスの双安定性（バイスタビリティー：bistability）、コントラスト比及び構造的完全性を向上させるために添加してもよい。
【００３３】
電気泳動流体は、グラインディング（すりつぶす、砕く、磨く、研磨する：grinding）、ミリング（フライス加工、フライス削り、粉にする：milling）、アトリーティング（摩滅させる、すり減らす：attriting）、マイクロフルイダイジング（微小流体化：microfluidizing）及び超音波技術を含む既知のいずれかの方法によって製造することができる。例えば、細かい粉の形態の帯電顔料粒子を、溶媒混合物に加えることができ、得られる混合物を、ボールミル粉砕し又はアトリート（摩滅：attrite）して、高度に塊になった乾燥顔料粉末を一次粒子に壊す。
【００３４】
別法では、帯電顔料粒子は、化学的に又は物理的に製造可能な顔料含有マイクロカプセル（microcapsules）又は微粒子（microparticles）であってよい。典型的な微粒子形成／マイクロカプセル化方法は、界面重合、その場重合（in-situ polymerization）、相分離、コアセルベーション（coacervation）、静電塗装、噴霧乾燥、流動床コーティング（fluidized bed coating）、溶媒蒸発等を含む。
【００３５】
本発明の一の態様において、流体は、対比色の溶媒混合物中に分散されるただ一種類の帯電顔料粒子を含むことができる。
【００３６】
他の態様において、流体は、溶媒混合物中に分散される少なくとも二種類の帯電顔料粒子を含むことができる。その二種類の帯電顔料粒子は、異なる極性、異なるゼータ電位、異なる移動性及び／又は異なる色を有することができる。
【００３７】
本発明の電気泳動流体は、多くの長所（又は利点）をもたらす：
【００３８】
１．シーリング完全性向上
この特徴は、予め仕切った（又は区切った）ディスプレイセル（例えば、マイクロカップ）内に満たされるカプセル化電気泳動流体を含む、電気泳動流体用に仕切った空間を有するいずれの種類（又はタイプ）の電気泳動ディスプレイにも適用することができる。
【００３９】
米国特許第６，９３０，８１８号は、ディスプレイセルとして、マイクロカップを含む、一種類の電気泳動ディスプレイを開示する。米国特許第６，９３０，８１８号の内容は、参照することによってその全体が本明細書に組み込まれる。
【００４０】
マイクロカップは、マイクロエンボス加工又はフォトリソグラフィーによって、簡単に製造することができる。その後、マイクロカップを、本発明のディスプレイ流体で満たし、満たした（又は充填した）マイクロカップをシール（又は封止）する。
【００４１】
シーリングは、多くの方法で達成することができる。一つのアプローチ（又は方法）は、ディスプレイ流体中にシーリング組成物を分散させることである。そのシーリング組成物は、ディスプレイ流体と非相溶性であり得、ディスプレイ流体の比重より低い比重を有し得る。二つの組成物、シーリング組成物及びディスプレイ流体を、完全に混合し、その後マイクロカップの中にコートする。シーリング組成物は、その後ディスプレイ流体から分離し、ディスプレイ流体の上に浮かぶ。その後、そのシーリング組成物をその場で（即ち、ディスプレイ流体と接触した状態で）硬化することによって、シーリング層を形成する。
【００４２】
別法では、最初に、ディスプレイ流体を、マイクロカップ内に満たすことができ、その後シーリング組成物を、満たしたマイクロカップにオーバーコートする。このアプローチでも、シーリング層は、シーリング組成物を硬化することによって、その場で形成される。硬化する前の、ディスプレイ流体とシーリング組成物との間の混合の程度を減ずるために、シーリング組成物の比重は、流体組成物の比重より低く、シーリング組成物とディスプレイ組成物は相溶性でないことが好ましい。
【００４３】
一般に、シーリング組成物は、熱可塑性、熱硬化性又はそれらの前駆体を含むことができる。そのような材料の例は、多価アクリレート、多価メタクリレート、多価シアノアクリレート、ビニルベンゼンを含む多価ビニル、ビニルシラン、ビニルエーテル、多価エポキサイド、多価イソシアネート、多価アリル、架橋性基を含むオリゴマー又はポリマー等を含むことができるが、それらに限定されるものではない。
【００４４】
シーリング組成物は、水系であり得る。この場合、シーリング組成物は、シーリング溶媒としての水と共に、水溶性ポリマーを含むことができる。適する水溶性ポリマー又はポリマー前駆体の例は、セルロースポリマー、ラテックス、擬ラテックス、ゼラチン、ポリビニルアルコール、ポリエチレングリコール、ＰＥＧ−ＰＰＧ−ＰＥＧ、ＰＰＧ−ＰＥＧ、ＰＰＧ−ＰＥＧ−ＰＰＧ、ポリビニルピロリドン、ＰＶＰ／ＶＡ多糖、でんぷん、メラミンホルムアルデヒド、リン脂質等を含み得るが、これらに限定されるものではない。
【００４５】
水系シーリング組成物は、配合溶媒（又は混合媒体）としての水と共に、水分散性ポリマーを含むこともできる。適する水分散性ポリマーの例は、水含有ポリウレタン、ポリアクリレートラテックス分散物などを含むことができるが、それらに制限されるものではない。
【００４６】
ＰＤＭＳサブユニットからなるポリマー又はパーフルオロカーボンサブユニットを有するポリマー、パーフルオロエーテルサブユニットを有するポリマー又はそれらのコポリマーから選択される、シリコーンポリマー（又はシリコーン重合体）又はフッ素化ポリマーを使用することもできる。同様の化学的性質のモノマー又はオリゴマーは、更に組成物の硬化のために、シーリング組成物中に存在して良い。適する溶媒は、例えば、ＦＣ−４３、ハロカーボンオイル（halocarbon oil）、ガルデン流体（Galden fluid）、低分子量クレイトックス流体（Krytox fluid）又はＰＤＭＳ含有溶媒等の溶媒を含むことができる。
【００４７】
他の適するシーリング組成物は、米国特許第７，００５，４６８号、米国特許出願番号１０／６６５，８９８（米国特許公開第２００４−０１２００２４A）、米国特許出願番号１０／６５１，５４０（米国特許公開第２００４−０１１２５２５A）、米国特許出願番号１０／７６２，１９６（米国特許公開第２００４−０２１９３０６Ａ）及び米国特許出願番号１１／７７４，７７３（米国特許公開第２００８−００２０００７）に開示されており、それらの全ての内容は、参照することによって全体として本明細書に組み込まれる。
【００４８】
本発明の電気泳動流体は、シーリング完全性を、特に水系シーリング組成物を使用した場合、非常に向上し得ることが見いだされた。
【００４９】
実験では、溶媒混合物が、９０％より大きな合計の割合の、８及び９の炭素原子を有するイソパラフィンを有する、電気泳動流体を製造した。その後、米国特許第６，９３０，８１８号に基づいて、電気泳動流体をマイクロカップに満たし、シールした。シーリング組成物は、米国特許公開第２００８−００２０００７に記載されているような、水系シーリング組成物である。７０℃の温度で３日間保管後、マイクロカップフィルムは、不適切なシーリングによる、容易に気付く欠陥を全く示さなかった。
【００５０】
２．双安定性（又はバイスタビリティー）
イソパラフィンの群から選択される溶媒混合物を含む本発明の電気泳動流体は、ディスプレイデバイスの双安定性を向上し得る。その向上は、帯電していない又は少し帯電した中立浮力粒子を流体に加えた場合、更により明瞭になる。
【００５１】
用語「少し帯電した」とは、正の帯電顔料粒子又は負の帯電顔料粒子が帯びる平均電荷の５０％未満、好ましくは２５％未満、より好ましくは１０％未満の電荷を有するとして定義される。
【００５２】
用語「中立浮力」とは、重力によって上昇も下降もしない粒子をいう。言い換えれば、粒子は、二枚の電極プレート間の流体中に浮くであろう。一の態様では、中立浮力粒子の密度は、それらが分散される溶媒混合物の密度と同じであってよい。
【００５３】
帯電していない又は少し帯電した中立浮力粒子は、ポリマー材料から形成して良い。ポリマー材料は、コポリマー又はホモポリマーであり得る。帯電していない又は少し帯電した中立浮力粒子のためのポリマー材料の例は、ポリアクリレート、ポリメタクリレート、ポリスチレン、ポリアニリン、ポリピロール、ポリフェノール、ポリシロキサン等を含み得るが、それらに限定されるものではない。ポリマー材料のより具体的な例は、ポリ（ペンタブロモフェニルメタクリレート）、ポリ（２−ビニルナフタレン）、ポリ（ナフチルメタクリレート）、ポリ（アルファ−メチルスチレン）、ポリ（Ｎ−ベンジルメタクリルアミド）、ポリ（ベンジルメタクリレート）を含み得るが、それらに限定されるものではない。これらの材料は、一粒子系（又はシステム）又は二粒子系中の中立浮力粒子のために適する。
【００５４】
より好ましくは、帯電していない又は少し帯電した中立浮力粒子は、ディスプレイ流体中の溶媒混合物中に溶けないポリマーで形成され、高い屈折率も有する。一の態様において、帯電していない又は少し帯電した中立浮力粒子の屈折率は、粒子が分散される溶媒混合物の屈折率と異なる。しかし、典型的には、帯電していない又は少し帯電した中立浮力粒子の屈折率は、溶媒混合物の屈折率より高い。場合により、帯電していない又は少し帯電した中立浮力粒子の屈折率は、１．４５より大きくあり得る。
【００５５】
帯電していない又は少し帯電した中立浮力粒子のサイズ（又は寸法）は、好ましくは約１００ナノメーター〜約５ミクロンの範囲である。
【００５６】
電気泳動流体中の帯電していない又は少し帯電した中立浮力粒子の濃度は、２．５重量％より多いが、約２５重量％を超えないことが好ましい。
【００５７】
帯電していない又は少し帯電した中立浮力粒子の詳細は、米国特許出願第１３／２４３，７５１に記載されており、その内容は参照することによって全体として本明細書に組み込まれる。
【００５８】
３．ゴースト発生現象及びスイッチング速度
電気泳動ディスプレイ中の画像（又はイメージ）を更新するために、波形を印加して帯電顔料粒子を動かす。しかし、そのリフレッシュ時間（refreshing time）又はリフレッシュエネルギー（refreshing energy）が不十分である場合、先の画像が残り、新しい画像と重なるであろう。この効果は、「ゴースト発生」として知られる。ゴースト発生を避けるために、通常のアプローチは、リフレッシュ時間又は駆動電圧を増加させることである。
【００５９】
さて、本発明者らによって、帯電顔料粒子を分散する電気泳動流体中にイソパラフィンの混合物を使用して、ゴースト発生現象を極めて減少することができることが、見いだされた。
【００６０】
実験では、９０％より多い合計の割合の８及び９の炭素原子を有するイソパラフィンを有する溶媒混合物を使用して、電気泳動流体を製造した。米国特許第６，９３０，８１８号に基づいて、電気泳動流体を、マイクロカップ中に満たして、シールした。
【００６１】
３８０ｍｓｅｃの合計の更新時間を有する波形を使用して、実験を行った。結果は下記の通りである：
【００６２】
【表１】
2015505379.tif 000002
【００６３】
ＣＩＥ  Ｌ＊ａ＊ｂ＊（ＣＩＥＬＡＢ）は、人の目に見ることができる全ての色を記載するために慣例的に使用される、最も完全な色のモデルである。色の輝度を示すＬ＊値は、０（黒）〜１００（白）の範囲にある。２Ｌ＊未満の値はゴースト発生の観点から良好な性能を示すことが、ディスプレイ分野で、通常認識される。３８０ｍｓｅｃの波形長さも、高いスイッチング速度を確認する。
【００６４】
本発明を、その具体的な態様を参照しながら説明したが、種々の変更が可能であり、本発明の範囲から離れることなく、均等物（又は等価物）を置き換えることができることは、当業者によって理解されるべきである。更に、本発明の目的と範囲に、特定の状況、材料、組成物、方法（又はプロセス）、方法の工程を適合させるため、多くの変形をすることが可能である。全てのそのような変形は、本明細書に添付された特許請求の範囲の範囲内で有るように意図される。
【国際調査報告】
2015505379.tif 000003
2015505379.tif 000004